(57)【特許請求の範囲】
【請求項１】
所定のフォーマットのデジタルオーディオビデオ信号を、デジタル化したデジタルビデオデータを含むデジタル映像信号ストリームと、デジタル化したデジタルオーディオデータと、このデジタルオーディオデータの仕様を示す属性情報データとを含むデジタル音声信号ストリームとに分離する復号回路と、
前記デジタル映像信号ストリームを伝送する映像信号伝送路と、
前記デジタル音声信号ストリームと伝送する音声信号伝送路と、
前記音声信号伝送路に接続され、前記デジタル音声信号ストリームから前記属性情報データを検出する属性検出回路と、
前記属性検出回路が検出した属性情報データに基づいて、その属性情報の内容を示すデジタルグラッフィックデータを生成する音声データ表示信号生成回路と、
前記映像信号伝送路にて伝送された前記デジタル映像信号ストリームのデジタルビデオデータに前記デジタルグラッフィックデータを加えて、デジタルビデオデータの表示画面に前記属性情報のグラッフィックを合成する合成器と、
前記合成器から出力されたデジタルビデオデータをアナログビデオ信号に変換するデジタルビデオアナログ変換回路と、
前記復号回路と、前記映像信号伝送路と、前記音声信号伝送路と、前記属性検出回路と、前記音声データ表示信号生成回路と、前記合成器と、前記デジタルビデオアナログ変換回路とを封止するパッケージ部材とを具備したことを特徴とするデジタル映像信号処理集積回路部品。
【請求項２】
前記デジタル映像ストリームあるいは、前記デジタル音声ストリームには予めコピー防止のためのデータ処理が施されていることを特徴とするデジタル映像信号処理集積回路部品。
【請求項３】
前記属性検出回路は、前記音声データの圧縮方式を検出する圧縮方式検出回路であることを特徴する請求項１記載のデジタル映像信号処理集積回路部品。
【請求項４】
前記属性検出回路は、前記音声データの音声チャンネル数を検出するチャンネル数検出回路であることを特徴する請求項１記載のデジタル映像信号処理集積回路部品。
【請求項５】
前記属性検出回路は、前記音声データのビットレートを検出するビットレート検出回であることを特徴する請求項１記載のデジタル映像信号処理集積回路部品。
【請求項６】
所定のフォーマットのデジタルオーディオビデオ信号を、デジタル化したデジタルビデオデータを含むデジタル映像信号ストリームと、デジタル化したデジタルオーディオデータと、このデジタルオーディオデータの仕様を示す属性情報データとを含むデジタル音声信号ストリームとに分離する復号回路と、
前記デジタル映像信号ストリームを伝送する映像信号伝送路と、
前記デジタル音声信号ストリームと伝送する音声信号伝送路と、
前記音声信号伝送路に接続され、前記デジタル音声信号ストリームから前記デジタルオーディオデータの音声レベルを検出する音声レベル検出回路と、
前記音声レベル検出回路が検出した音声レベルに基づいて、その音声レベル示すデジタルグラッフィックデータを生成する音声データ表示信号生成回路と、
前記映像信号伝送路にて伝送された前記デジタル映像信号ストリームのデジタルビデオデータに前記デジタルグラッフィックデータを加えて、デジタルビデオデータの表示画面に前記音声レベルのグラッフィックを合成する合成器と、
前記合成器から出力されたデジタルビデオデータをアナログビデオ信号に変換するデジタルビデオアナログ変換回路と、
前記復号回路と、前記映像信号伝送路と、前記音声信号伝送路と、前記音声レベル検出回路と、前記音声データ表示信号生成回路と、前記合成器と、前記デジタルビデオアナログ変換回路とを封止するパッケージ部材とを具備したことを特徴とするデジタル映像信号処理集積回路部品。
【請求項７】
所定のフォーマットのデジタルオーディオビデオ信号を、デジタル化したデジタルビデオデータを含むデジタル映像信号ストリームと、デジタル化したデジタルオーディオデータと、このデジタルオーディオデータの仕様を示す属性情報データとを含むデジタル音声信号ストリームとに分離する復号回路と、
前記デジタル映像信号ストリームを伝送する映像信号伝送路と、
前記デジタル音声信号ストリームと伝送する音声信号伝送路と、
前記音声信号伝送路に接続され、前記デジタル音声信号ストリームから前記オーディオデータのエラーの発生を示すエラーフラグを検出するエラーフラグ検出回路と、
前記エラーフラグ検出回路が検出したエラーフラグに基づいて、そのエラーフラグに対応したエラーメッセージを示すデジタルグラッフィックデータを生成する音声データ表示信号生成回路と、
前記映像信号伝送路にて伝送された前記デジタル映像信号ストリームのデジタルビデオデータに前記デジタルグラッフィックデータを加えて、デジタルビデオデータの表示画面に前記エラーメッセージのグラッフィックを合成する合成器と、
前記合成器から出力されたデジタルビデオデータをアナログビデオ信号に変換するデジタルビデオアナログ変換回路と、
前記復号回路と、前記映像信号伝送路と、前記音声信号伝送路と、前記エラーフラグ検出回路と、前記音声データ表示信号生成回路と、前記合成器と、前記デジタルビデオアナログ変換回路とを封止するパッケージ部材とを具備したことを特徴とするデジタル映像信号処理集積回路部品。
【請求項８】
所定のフォーマットのデジタルオーディオビデオ信号を、デジタル化したデジタルビデオデータを含むデジタル映像信号ストリームをデコードする復号回路と
前記デジタル映像信号ストリームを伝送する映像信号伝送路と、
前記所定の情報の内容を示すデジタルグラッフィックデータを生成する表示信号生成回路と、
前記映像信号伝送路にて伝送された前記デジタル映像信号ストリームのデジタルビデオデータに前記デジタルグラッフィックデータを加えて、デジタルビデオデータの表示画面に前記属性情報のグラッフィックを合成する合成器と、
前記合成器から出力されたデジタルビデオデータをアナログビデオ信号に変換するデジタルビデオアナログ変換回路と、
前記復号回路と、前記映像信号伝送路と、前記表示信号生成回路と、前記合成器と、前記デジタルビデオアナログ変換回路とを封止するパッケージ部材と、
前記復号回路に接続され、前記デジタルオーディオビデオ信号が入力される入力信号線路と、
前記デジタルビデオアナログ変換回路に接続され、前記アナログビデオ信号が出力される出力信号線路とを具備したことを特徴とするスーパーインポーズ装置。
【発明の詳細な説明】
【０００１】
【発明の属する技術分野】
本発明はデジタル映像信号にデジタル信号形式のグラッフィックデータを合成してスーパーインポーズする装置に関する。
【０００２】
【従来の技術】
従来技術におけるスーパーインポーズ装置の一例は特開平２−１９０８２号に開示の衛星放送受信機がある。
【０００３】
衛星放送の音声モードを画面出力回路のスーパーインポーズ機能を用いて、音声モードの変更に応じた司令を画面上に表示する。
【０００４】
【発明が解決しようとする課題】
従来技術のようなスーパーインポーズ回路はでは、主ビデオ信号と、これに対してインポーズされるスーパー用のビデオ信号を合成しようとすると、処理ブロック間での信号転送の度合いが高まってしまう。この信号線路は、印刷基板等に敷設されるため外部に露出し易い。
【０００５】
よって、露出した信号線路から伝送中の信号が外部から接続された線路によって外部に漏洩してしまう可能性が高い。
【０００６】
とりわけ、デジタル信号はハイレベル／ローレベルの２値的な単純な信号なので、ほぼ完全に漏洩させてしまうことが可能である。
【０００７】
本発明はこの点を鑑みて、デジタル映像信号にデジタル信号形式のグラッフィックデータを合成してスーパーインポーズする装置であっても、当該デジタル信号を漏洩し難くなる。いスーパーインポーズシステムを提供することを目的とする。
【０００８】
【課題を解決するための手段】
前記課題を解決するために本発明のデジタル映像信号処理集積回路部品は、
所定のフォーマットのデジタルオーディオビデオ信号を、デジタル化したデジタルビデオデータを含むデジタル映像信号ストリームと、デジタル化したデジタルオーディオデータと、このデジタルオーディオデータの仕様を示す属性情報データとを含むデジタル音声信号ストリームとに分離する復号回路と、
前記デジタル映像信号ストリームを伝送する映像信号伝送路と、
前記デジタル音声信号ストリームと伝送する音声信号伝送路と、
前記音声信号伝送路に接続され、前記デジタル音声信号ストリームから前記属性情報データを検出する属性検出回路と、
前記属性検出回路が検出した属性情報データに基づいて、その属性情報の内容を示すデジタルグラッフィックデータを生成する音声データ表示信号生成回路と、
前記映像信号伝送路にて伝送された前記デジタル映像信号ストリームのデジタルビデオデータに前記デジタルグラッフィックデータを加えて、デジタルビデオデータの表示画面に前記属性情報のグラッフィックを合成する合成器と、
前記合成器から出力されたデジタルビデオデータをアナログビデオ信号に変換するデジタルビデオアナログ変換回路と、
前記復号回路と、前記映像信号伝送路と、前記音声信号伝送路と、前記属性検出回路と、前記音声データ表示信号生成回路と、前記合成器と、前記デジタルビデオアナログ変換回路とを封止するパッケージ部材とを具備したことを特徴とする。
【０００９】
また、デジタル映像信号処理集積回路部品は、
所定のフォーマットのデジタルオーディオビデオ信号を、デジタル化したデジタルビデオデータを含むデジタル映像信号ストリームと、デジタル化したデジタルオーディオデータと、このデジタルオーディオデータの仕様を示す属性情報データとを含むデジタル音声信号ストリームとに分離する復号回路と、
前記デジタル映像信号ストリームを伝送する映像信号伝送路と、
前記デジタル音声信号ストリームと伝送する音声信号伝送路と、
前記音声信号伝送路に接続され、前記デジタル音声信号ストリームから前記デジタルオーディオデータの音声レベルを検出する音声レベル検出回路と、
前記音声レベル検出回路が検出した音声レベルに基づいて、その音声レベル示すデジタルグラッフィックデータを生成する音声データ表示信号生成回路と、
前記映像信号伝送路にて伝送された前記デジタル映像信号ストリームのデジタルビデオデータに前記デジタルグラッフィックデータを加えて、デジタルビデオデータの表示画面に前記音声レベルのグラッフィックを合成する合成器と、
前記合成器から出力されたデジタルビデオデータをアナログビデオ信号に変換するデジタルビデオアナログ変換回路と、
前記復号回路と、前記映像信号伝送路と、前記音声信号伝送路と、前記音声レベル検出回路と、前記音声データ表示信号生成回路と、前記合成器と、前記デジタルビデオアナログ変換回路とを封止するパッケージ部材とを具備したことを特徴とする。
【００１０】
また、本発明のデジタル映像信号処理集積回路部品は、
所定のフォーマットのデジタルオーディオビデオ信号を、デジタル化したデジタルビデオデータを含むデジタル映像信号ストリームと、デジタル化したデジタルオーディオデータと、このデジタルオーディオデータの仕様を示す属性情報データとを含むデジタル音声信号ストリームとに分離する復号回路と、
前記デジタル映像信号ストリームを伝送する映像信号伝送路と、
前記デジタル音声信号ストリームと伝送する音声信号伝送路と、
前記音声信号伝送路に接続され、前記デジタル音声信号ストリームから前記オーディオデータのエラーの発生を示すエラーフラグを検出するエラーフラグ検出回路と、
前記エラーフラグ検出回路が検出したエラーフラグに基づいて、そのエラーフラグに対応したエラーメッセージを示すデジタルグラッフィックデータを生成する音声データ表示信号生成回路と、
前記映像信号伝送路にて伝送された前記デジタル映像信号ストリームのデジタルビデオデータに前記デジタルグラッフィックデータを加えて、デジタルビデオデータの表示画面に前記エラーメッセージのグラッフィックを合成する合成器と、
前記合成器から出力されたデジタルビデオデータをアナログビデオ信号に変換するデジタルビデオアナログ変換回路と、
前記復号回路と、前記映像信号伝送路と、前記音声信号伝送路と、前記エラーフラグ検出回路と、前記音声データ表示信号生成回路と、前記合成器と、前記デジタルビデオアナログ変換回路とを封止するパッケージ部材とを具備したことを特徴とする。
【００１１】
また、前記課題を解決するために本発明のスーパーインポーズ装置は
所定のフォーマットのデジタルオーディオビデオ信号を、デジタル化したデジタルビデオデータを含むデジタル映像信号ストリームをデコードする復号回路と前記デジタル映像信号ストリームを伝送する映像信号伝送路と、
前記所定の情報の内容を示すデジタルグラッフィックデータを生成する表示信号生成回路と、
前記映像信号伝送路にて伝送された前記デジタル映像信号ストリームのデジタルビデオデータに前記デジタルグラッフィックデータを加えて、デジタルビデオデータの表示画面に前記属性情報のグラッフィックを合成する合成器と、
前記合成器から出力されたデジタルビデオデータをアナログビデオ信号に変換するデジタルビデオアナログ変換回路と、
前記復号回路と、前記映像信号伝送路と、前記表示信号生成回路と、前記合成器と、前記デジタルビデオアナログ変換回路とを封止するパッケージ部材と、
前記復号回路に接続され、前記デジタルオーディオビデオ信号が入力される入力信号線路と、
前記デジタルビデオアナログ変換回路に接続され、前記アナログビデオ信号が出力される出力信号線路とを具備したことを特徴とする。
【００１２】
【発明の実施の形態】
本発明の実施の形態について、図１乃至図７を用いて説明する。
【００１３】
図１は、本発明のデジタル映像信号処理集積回路部品が適用されたデジタルビデオ装置のブロック図である。
【００１４】
本図において、１はデジタル映像信号を搬送波信号から抽出する映像信号処理部であり、２はデジタル音声信号を搬送波信号から抽出する音声信号処理部でこれらの一度ひとつのデジタルオーディオビデオストリームに合成されて、次段のデジタル映像信号処理集積回路部品３の入力端子から入力される。
【００１５】
このデジタルオーディオビデオストリームはビデオストリーム及びオーディオストリームの双方には、予めコピー防止機能のためのデータ処理が施されている。
【００１６】
そして、デジタル映像信号処理集積回路部品３はこれをデジタルアナログ変換してアナログのビデオ信号と、アナログのオーディオ信号として、出力端子より出力せしめこの出力端子に接続されたモニター４にビデオ信号を、スピーカ５にオーディオ信号を出力する。
【００１７】
次に図２を用いて、デジタル映像信号処理集積回路部品３の構成について説明する。
【００１８】
図２は、本発明のデジタル映像信号処理集積回路部品３のブロック図である。このデジタル映像信号処理集積回路部品３は、前述の通り、デジタル映像信号ストリームと、デジタル音声信号ストリームとが混合されたストリームが入力され、入力端子に接続された復号回路６が、これをデジタル映像信号ストリームと、デジタル音声信号ストリームとに分離する。
【００１９】
その後、分離されたデジタル映像信号ストリームは映像信号伝送路７によって伝送され、デジタル音声信号ストリームは音声信号伝送路１０によって伝送される。
【００２０】
尚、映像信号ストリームにはデジタルビデオデータが含まれており、デジタル音声信号ストリームにはデジタル化したオーディオデータと、このデジタルオーディオデータの仕様を示す属性情報データとが含まれている。
【００２１】
音声信号伝送路の後段には、属性検出回路１３が接続されており、デジタル音声信号ストリームから属性情報データを検出する。
【００２２】
更にこの属性検出回路１３には、音声データ表示信号生成回路１１が接続されており、属性検出回路１３によって検出された属性情報データが供給されている。音声データ表示信号生成回路１３は属性情報データに基づいて、その属性情報の内容を示すデジタルグラッフィックデータを生成する。
【００２３】
一方、映像信号伝送路７にて伝送されたデジタル映像信号ストリームは後段の合成器８に供給される。この合成器８には音声データ表示信号生成回路１３も接続されており、合成器８においてデジタル映像信号ストリームのビデオデータと、音声データ表示信号生成回路１３のデジタルグラッフィックデータは、この合成器８に供給され、このでデジタルビデオデータの表示画面に属性情報のグラッフィックが合成される
合成器８から出力されたデジタルビデオデータは後段のデジタルビデオアナログ変換回路９に供給された後、アナログビデオ信号に変換され、ビデオ信号出力端子から出力される。
【００２４】
モニタ４には、属性情報のグラフィックがスーパーインポーズされた画面のビデオ信号が供給され、これに基づいた合成画像が表示される。
【００２５】
一方、属性検出回路１３において属性情報が抽出されたデジタル音声信号ストリームからはデジタル音声データが分離され更に後段のデジタルオーディオ・アナログ変換回路１２に入力される。
【００２６】
デジタル音声データは、デジタルオーディオ・アナログ変換回路１２においてアナログのオーディオ信号に変換されてスピーカ５より音声として出力される。
【００２７】
また、復号回路６、映像信号伝送路７、音声信号伝送路１０と、属性検出回路１３と、音声データ表示信号生成回路１１、合成器８、デジタルビデオアナログ変換回路９及び、デジタルオーディオ・アナログ変換回路１２は集積されて図３に示される集積回路部品として１パッケージ化される。
【００２８】
図３は、本発明のデジタル映像信号処理集積回路部品３がパッケージ部材１４で封止しされた状態の集積回路チップ部品の斜視図である。
【００２９】
この集積回路部品には、復号回路６に接続され、デジタルオーディオビデオ信号が入力される入力信号線路と、デジタルビデオアナログ変換回路９に接続され、アナログビデオ信号が出力される出力信号線路とが設けられている。
【００３０】
このように、本発明のデジタル映像信号処理集積回路部品３はパッケージ部材１４によって封止されており、このパッケージ部材１４内部において、ビデオデータと、音声データ表示信号デジタル音声ストリームの属性情報に基づきデジタルグラッフィックデータとは合成される。
【００３１】
その際に、各ブロック間でデータを伝送する信号線路はパッケージ部材によって封止され、露出することがないのでデータを漏洩し難くなる。い。
【００３２】
よって、デジタルビデオデータ及びオーディオデータに対するセキュリティーを高く維持したまま、ビデオデータに対するスーパーインポーズ処理が可能となる。
【００３３】
この実施例では音声信号の属性情報に基づくグラッフィックをビデオデータに合成したが、この属性情報としては、デジタル音声信号の圧縮方式や、チャンネル数、ビットレートが含まれる。
【００３４】
これらの情報に基づいたグラッフィックの合成には夫々専用の回路を適用することによって実現することができる。
【００３５】
図４〜図６を用いてこれら実施について説明する。
【００３６】
図４〜図６において、図２と同じ符号を付したブロックは同じ機能を備えるので何れも説明は省略する。
【００３７】
図４はデジタル音声ストリームの圧縮方式のグラフィックを合成表示する本発明のデジタル映像信号処理集積回路のブロック図である。
【００３８】
本実施例において、圧縮方式検出回路１５はデジタル音声ストリームから圧縮方式に関する属性データを検出する。
【００３９】
検出された圧縮方式の属性データは音声データ表示信号生成回路にてグラフィックデータに変換され合成器８に転送される。
【００４０】
合成器８はデジタル映像ストリームのビデオデータとグラフィックデータとを合成した上で後段のデジタルビデオアナログ変換回路９へ供給する。
【００４１】
デジタルビデオアナログ変換回路９からは、圧縮方式の属性データに基づくグラッフィックが合成されたアナログのビデオ信号が出力される。
【００４２】
モニタ４には、圧縮方式の属性データに基づくグラフィックがスーパーインポーズされた画面のビデオ信号が供給され、これに基づいた合成画像が表示される。
【００４３】
図５はデジタル音声ストリームの圧縮方式を検出する本発明のデジタル映像信号処理集積回路のブロック図である。
【００４４】
本実施例において、チャンネル数検出回路１６はデジタル音声ストリームから音声チャンネルに関する属性データを検出する。
【００４５】
検出された音声チャンネルの属性データは音声データ表示信号生成回路にてグラフィックデータに変換され合成器８に転送される。
【００４６】
合成器８はデジタル映像ストリームのビデオデータとグラフィックデータとを合成した上で後段のデジタルビデオアナログ変換回路９へ供給する。
【００４７】
デジタルビデオアナログ変換回路９からは、音声チャンネル数の属性データに基づくグラッフィックが合成されたアナログのビデオ信号が出力される。
【００４８】
モニタ４には、音声チャンネル数の属性データに基づくグラフィックがスーパーインポーズされた画面のビデオ信号が供給され、これに基づいた合成画像が表示される。
【００４９】
図６はデジタル音声ストリームのビットレートに関するグラフィックを合成表示する本発明のデジタル映像信号処理集積回路のブロック図である。
【００５０】
本実施例において、可変ビットレート検出回路１７はデジタル音声ストリームからビットレートに関する属性データを検出する。
【００５１】
具体的には所定時間においてデータのビットの数をカウントする。
【００５２】
検出されたビットレートの属性データは音声データ表示信号生成回路にてグラフィックデータに変換され合成器８に転送される。
【００５３】
合成器８はデジタル映像ストリームのビデオデータとグラフィックデータとを合成した上で後段のデジタルビデオアナログ変換回路９へ供給する。
【００５４】
デジタルビデオアナログ変換回路９からは、ビットレートの属性データに基づくグラッフィックが合成されたアナログのビデオ信号が出力される。
【００５５】
モニタ４には、ビットレートの属性データに基づくグラフィックがスーパーインポーズされた画面のビデオ信号が供給され、これに基づいた合成画像が表示される。
【００５６】
次にデジタル音声データからその音圧レベルを検出して、そのグラフィックを合成表示する実施例について説明する。
【００５７】
図７はデジタル音声ストリームの音圧レベルに関するグラフィックを合成表示する本発明のデジタル映像信号処理集積回路のブロック図である。
【００５８】
本実施例において、音声レベル検出回路１８はデジタル音声ストリームから音圧レベルを検出する。
【００５９】
検出された音圧レベルはデジタル化された後、音声データ表示信号生成回路にてグラフィックデータに変換され合成器８に転送される。
【００６０】
合成器８はデジタル映像ストリームのビデオデータとグラフィックデータとを合成した上で後段のデジタルビデオアナログ変換回路９へ供給する。
【００６１】
デジタルビデオアナログ変換回路９からは、音圧レベルに基づくグラッフィックが合成されたアナログのビデオ信号が出力される。
【００６２】
モニタ４には、音圧レベルに基づくグラフィックがスーパーインポーズされた画面のビデオ信号が供給され、これに基づいた合成画像が表示される。
【００６３】
図８はデジタル音声ストリームのエラーメッセージに関するグラフィックを合成表示する本発明のデジタル映像信号処理集積回路のブロック図である。
【００６４】
本実施例において、エラーフラグ検出回路１８はエラーが発生したデジタル音声ストリームからエラーフラグを検出する。
【００６５】
検出されたエラーフラグは、音声データ表示信号生成回路に供給され、これに基づいてエラーメッセージのグラフィックデータが生成された後合成器８に転送される。
【００６６】
合成器８はデジタル映像ストリームのビデオデータとグラフィックデータとを合成した上で後段のデジタルビデオアナログ変換回路９へ供給する。
【００６７】
デジタルビデオアナログ変換回路９からは、エラーメッセージに基づくグラッフィックが合成されたアナログのビデオ信号が出力される。
【００６８】
モニタ４には、エラーメッセージ基づくグラフィックがスーパーインポーズされた画面のビデオ信号が供給され、これに基づいた合成画像が表示される。
【００６９】
この実施例では、デジタル音声データにエラーが発生したときに視聴者に対して、エラー発生の事実を伝えることができる。
【００７０】
このように、本発明のスーパーインポーズ装置においてはインポーズする情報に関して様々な変形が可能である。
【００７１】
いずれの実施例も、デジタル映像信号処理集積回路部品３はパッケージ部材１４によって封止されており、このパッケージ部材１４内部において、ビデオデータと、音声データ表示信号デジタル音声ストリームの属性情報に基づきデジタルグラッフィックデータとは合成される。
【００７２】
各ブロック間でデータを伝送する信号線路はパッケージ部材によって封止され露出することがないのでデータを漏洩し難くなる。い。
【００７３】
よって、デジタルビデオデータ及びオーディオデータに対するセキュリティーを高く維持したまま、ビデオデータに対するスーパーインポーズ処理が可能となる。
【００７４】
【発明の効果】
本発明によれば、デジタル映像信号にデジタル信号形式のグラッフィックデータを合成してスーパーインポーズする装置であっても、当該デジタル信号を漏洩し難くなる。いスーパーインポーズシステムを提供することができる。
【図面の簡単な説明】
【図１】本発明のデジタル映像信号処理集積回路部品が適用されたデジタルビデオ装置のブロック図。
【図２】本発明のデジタル映像信号処理集積回路部品３のブロック図。
【図３】本発明のデジタル映像信号処理集積回路部品３がパッケージ部材１４で封止しされた状態の集積回路チップ部品の斜視図。
【図４】デジタル音声ストリームの圧縮方式のグラフィックを合成表示する本発明のデジタル映像信号処理集積回路のブロック図。
【図５】デジタル音声ストリームの圧縮方式を検出する本発明のデジタル映像信号処理集積回路のブロック図。
【図６】デジタル音声ストリームのビットレートに関するグラフィックを合成表示する本発明のデジタル映像信号処理集積回路のブロック図。
【図７】デジタル音声ストリームの音圧レベルに関するグラフィックを合成表示する本発明のデジタル映像信号処理集積回路のブロック図。
【図８】デジタル音声ストリームのエラーメッセージに関するグラフィックを合成表示する本発明のデジタル映像信号処理集積回路のブロック図。
【符号の説明】
７…  …映像信号伝送路
１０…  …音声信号伝送路
１１…  …表示信号生成回路
８…  …合成器
９…  …デジタルビデオアナログ変換回路
１４…  …パッケージ部材
【図１】
0003969700.tif 000002
【図２】
0003969700.tif 000003
【図３】
0003969700.tif 000004
【図４】
0003969700.tif 000005
【図５】
0003969700.tif 000006
【図６】
0003969700.tif 000007
【図７】
0003969700.tif 000008
【図８】
0003969700.tif 000009